(57)【特許請求の範囲】
【請求項１】
半導体基板上に、入射光を光電変換して得られた信号電荷を蓄積する受光部と、前記受光部に蓄積された信号電荷をゲート電極に印加されたパルス信号に従って転送する転送トランジスタと、転送された前記信号電荷を一時的に蓄積する電荷検出部と、前記電荷検出部に蓄積された信号電荷をゲート電極に印加されたパルス信号に従ってリセットするリセットトランジスタとを含む単位画素が半導体基板上に２次元状に配置された画素部と、
前記半導体基板に形成され、前記パルス信号を前記画素部に供給することにより前記画素部を駆動する垂直走査部と、を備え、
前記垂直走査部は、
画素行を選択する行選択部と、
外部から入力された単一電圧レベルの電源電圧のレベルを変換する１以上のレベルシフト回路と、
前記レベルシフト回路でレベル変換された電圧をバッファし、当該バッファされた前記電圧を前記パルス信号として前記画素部へ伝達する１以上のバッファ回路とを備え、
前記レベルシフト回路のそれぞれは、
外部から入力された電源電圧を降圧する降圧側レベルシフト回路と、
当該降圧側レベルシフト回路とウェル分離され、外部から入力された電源電圧を昇圧する昇圧側レベルシフト回路とを備える
ことを特徴とする固体撮像装置。
【請求項２】
前記垂直走査部は、
前記行選択部と、前記転送トランジスタの前記ゲート電極との間に配置された、第１の前記レベルシフト回路及び前記第１のレベルシフト回路でレベル変換された電圧を前記パルス信号として前記転送トランジスタの前記ゲート電極へ供給する前記第１の前記バッファ回路と、
前記行選択部と、前記リセットトランジスタの前記ゲート電極との間に配置された、第２の前記レベルシフト回路及び前記第２のレベルシフト回路でレベル変換された電圧を前記パルス信号として前記リセットトランジスタの前記ゲート電極へ供給する第２の前記バッファ回路とを備え、
前記第１のレベルシフト回路は、前記第２のレベルシフト回路よりも前記行選択部に近く配置されている
ことを特徴とする請求項１に記載の固体撮像装置。
【請求項３】
前記第１のバッファ回路から前記転送トランジスタの前記ゲート電極へ供給される前記パルス信号の電圧振幅は、前記第２のバッファ回路から前記リセットトランジスタの前記ゲート電極へ供給される前記パルス信号の電圧振幅より大きく設定される
ことを特徴とする請求項２に記載の固体撮像装置。
【請求項４】
前記画素部は、さらに、半導体基板上に、前記電荷検出部に蓄積された信号電荷に対応した画素信号を、ゲート電極に印加されたパルス信号に従って画素列ごとに配置された垂直信号線に出力するタイミングを決定する選択トランジスタを備え、
前記垂直走査部は、
前記行選択部と、前記選択トランジスタの前記ゲート電極との間に配置された第３の前記レベルシフト回路及び第３の前記バッファ回路を備え、
前記第１のレベルシフト回路は、前記第２のレベルシフト回路及び前記第３のレベルシフト回路よりも前記行選択部に近い位置に配置されており、
前記第３のレベルシフト回路は、前記第１のレベルシフト回路及び前記第２のレベルシフト回路よりも前記画素部に近い位置に配置されている
ことを特徴とする請求項２に記載の固体撮像装置。
【請求項５】
前記第１のレベルシフト回路及び前記第１のバッファ回路から前記転送トランジスタの前記ゲート電極へ供給される前記パルス信号の電圧振幅は、前記第２のレベルシフト回路及び前記第２のバッファ回路から前記リセットトランジスタの前記ゲート電極へ供給される前記パルス信号の電圧振幅、及び、前記第３のレベルシフト回路及び前記第３のバッファ回路から前記選択トランジスタの前記ゲート電極へ供給される前記パルス信号の電圧振幅より大きく設定される
ことを特徴とする請求項４に記載の固体撮像装置。
【請求項６】
前記降圧側レベルシフト回路と、前記昇圧側レベルシフト回路と、前記バッファ回路とは、この順で、前記行選択部から前記単位画素の方向に順次配置されている
ことを特徴とする請求項１〜５のいずれか１項に記載の固体撮像装置。
【請求項７】
請求項１〜６のいずれか１項に記載の固体撮像装置を備える
撮像装置。
【発明の詳細な説明】
【技術分野】
【０００１】
本発明は、固体撮像装置及び撮像装置に関する。
【背景技術】
【０００２】
図１１を参照しながら、従来技術の固体撮像装置を説明する。【０００３】
画素部には、２次元配置された複数の単位画素１０５５が配置されている。各単位画素１０５５は、フォトダイオード１０２３、転送トランジスタ（転送ゲートＴＧ）１０１８、電荷検出部（ＦＤ部）１０１７、増幅トランジスタ１０５６、アナログ電源端子（ＡＶＤＤ１）１０４０、選択（アドレス）トランジスタ１０５７及び垂直信号線１０５９等で構成されている。【０００４】
また、画素部を駆動する垂直駆動部１００６は、画素行を垂直方向に順次選択する垂直レジスタ部１０６４と、垂直レジスタ部１０６４による選択信号のレベルを電源電圧によってシフトするレベルシフト回路部１０６１、１０６２及び１０６３等で構成されている。【０００５】
レベルシフト回路部１０６１、１０６２及び１０６３は、それぞれ、選択トランジスタ１０５７、リセットトランジスタ１０１６及び転送トランジスタ１０１８のゲート電圧を制御する。具体的には、レベルシフト回路部１０６１、１０６２及び１０６３は、それぞれ、制御パルスΦＡ（選択用）１０６０、ΦＲ（リセット用）１０２２及びΦＴＧ（転送ゲート用）１０２１を単位画素１０５５の各トランジスタに印加する。【０００６】
また、転送トランジスタ１０１８及び選択トランジスタ１０５７には、電源電圧ＤＶＤＤ１よりも大きな電圧を印加したいので、レベルシフト回路部１０６１と１０６３とにより、ＤＶＤＤ１よりも大きな電源電圧ＤＶＤＤ２を供給している。
【先行技術文献】
【特許文献】
【０００７】
【特許文献１】国際公開第０３／０８５９６４号
【発明の概要】
【発明が解決しようとする課題】
【０００８】
しかしながら、図１１に示した従来の固体撮像装置は、画素の動作マージンを拡大するために各制御パルスΦＲ（リセット用）、ΦＴＧ（転送ゲート用）及びΦＡ（選択用）の電位差を拡大した場合、レベルシフト回路部１０６１、１０６２及び１０６３に流れる電流（貫通電流）が増加し、ランダムノイズによる画質劣化が生じるという課題を有する。【０００９】
上記課題に鑑み、本発明は、画素の動作マージンを拡大しても、ランダムノイズにより画質が劣化しない固体撮像装置及び撮像装置を提供することを目的とする。
【課題を解決するための手段】
【００１０】
上記課題を解決するために、本発明の一態様に係る固体撮像装置は、半導体基板上に、入射光を光電変換して得られた信号電荷を蓄積する受光部と、前記受光部に蓄積された信号電荷をゲート電極に印加されたパルス信号に従って転送する転送トランジスタと、転送された前記信号電荷を一時的に蓄積する電荷検出部と、前記電荷検出部に蓄積された信号電荷をゲート電極に印加されたパルス信号に従ってリセットするリセットトランジスタとを含む単位画素が半導体基板上に２次元状に配置された画素部と、前記半導体基板に形成され、前記パルス信号を前記画素部に供給することにより前記画素部を駆動する垂直走査部と、を備え、前記垂直走査部は、画素行を選択する行選択部と、外部から入力された単一電圧レベルの電源電圧のレベルを変換する１以上のレベルシフト回路と、前記レベルシフト回路でレベル変換された電圧をバッファし、当該バッファされた前記電圧を前記パルス信号として前記画素部へ伝達する１以上のバッファ回路とを備え、前記レベルシフト回路のそれぞれは、外部から入力された電源電圧を降圧する降圧側レベルシフト回路と、当該降圧側レベルシフト回路とウェル分離され、外部から入力された電源電圧を昇圧する昇圧側レベルシフト回路とを備えることを特徴とする。【００１１】
また、前記垂直走査部は、前記行選択部と、前記転送トランジスタの前記ゲート電極との間に配置された、第１の前記レベルシフト回路及び前記第１のレベルシフト回路でレベル変換された電圧を前記パルス信号として前記転送トランジスタの前記ゲート電極へ供給する前記第１の前記バッファ回路と、前記行選択部と、前記リセットトランジスタの前記ゲート電極との間に配置された、第２の前記レベルシフト回路及び前記第２のレベルシフト回路でレベル変換された電圧を前記パルス信号として前記リセットトランジスタの前記ゲート電極へ供給する第２の前記バッファ回路とを備え、前記第１のレベルシフト回路は、前記第２のレベルシフト回路よりも前記行選択部に近く配置されてもよい。【００１２】
また、前記第１のバッファ回路から前記転送トランジスタの前記ゲート電極へ供給される前記パルス信号の電圧振幅は、前記第２のバッファ回路から前記リセットトランジスタの前記ゲート電極へ供給される前記パルス信号の電圧振幅より大きく設定されてもよい。【００１３】
また、前記画素部は、さらに、半導体基板上に、前記電荷検出部に蓄積された信号電荷に対応した画素信号を、ゲート電極に印加されたパルス信号に従って画素列ごとに配置された垂直信号線に出力するタイミングを決定する選択トランジスタを備え、前記垂直走査部は、前記行選択部と、前記選択トランジスタの前記ゲート電極との間に配置された第３の前記レベルシフト回路及び第３の前記バッファ回路を備え、前記第１のレベルシフト回路は、前記第２のレベルシフト回路及び前記第３のレベルシフト回路よりも前記行選択部に近い位置に配置されており、前記第３のレベルシフト回路は、前記第１のレベルシフト回路及び前記第２のレベルシフト回路よりも前記画素部に近い位置に配置されてもよい。【００１４】
また、前記第１のレベルシフト回路及び前記第１のバッファ回路から前記転送トランジスタの前記ゲート電極へ供給される前記パルス信号の電圧振幅は、前記第２のレベルシフト回路及び前記第２のバッファ回路から前記リセットトランジスタの前記ゲート電極へ供給される前記パルス信号の電圧振幅、及び、前記第３のレベルシフト回路及び前記第３のバッファ回路から前記選択トランジスタの前記ゲート電極へ供給される前記パルス信号の電圧振幅より大きく設定されてもよい。【００１５】
また、前記降圧側レベルシフト回路と、前記昇圧側レベルシフト回路と、前記バッファ回路とは、この順で、前記行選択部から前記単位画素の方向に順次配置されてもよい。【００１６】
また、本発明は、上記のような特徴的な手段を備える固体撮像装置として実現することができるだけでなく、上記固体撮像装置を備える撮像装置として実現することができる。
【発明の効果】
【００１７】
本発明に係る固体撮像装置によれば、画素の動作マージンを拡大しつつ、ランダムノイズよる画像劣化を防止することが可能となる。
【図面の簡単な説明】
【００１８】
【図１】図１は、本発明の第１の実施形態に係る固体撮像装置を示す全体構成図である。
【図２】図２は、本発明の第１の実施形態に係る固体撮像装置の単位画素及び垂直走査部の詳細構成図である。
【図３】図３は、本発明の第１の実施形態に係る固体撮像装置の駆動タイミングチャートである。
【図４】図４は、本発明の第１の実施形態に係る固体撮像装置の垂直走査部と単位画素の詳細構成図である。
【図５】図５は、本発明の第１の実施形態に係る固体撮像装置のレベルシフト回路及びバッファ回路の詳細回路図である。
【図６】図６は、本発明の第１の実施形態に係る固体撮像装置の構造断面図である。
【図７】図７は、本発明の第２の実施形態に係る固体撮像装置の単位画素及び垂直走査部の詳細構成図である。
【図８】図８は、本発明の第２の実施形態に係る固体撮像装置のタイミングチャートである。
【図９Ａ】図９Ａは、ビデオカメラの一例を示す外観図である。
【図９Ｂ】図９Ｂは、デジタルスチルカメラの一例を示す外観図である。
【図１０】図１０は、本発明に係る撮像装置の構成の一例を示すブロック図である。
【図１１】図１１は、従来の固体撮像装置を示す構成図である。
【発明を実施するための形態】
【００１９】
以下、各実施形態について、図面を参照しながら具体的に説明する。
【００２０】
なお、以下で説明する各実施形態は、いずれも包括的または具体的な例を示すものである。以下の実施形態で示される数値、形状、構成要素、構成要素の配置位置及び接続形態、などは、一例であり、本発明を限定する主旨ではない。また、以下の実施形態における構成要素のうち、最上位概念を示す独立請求項に記載されていない構成要素については、任意の構成要素として説明される。
【００２１】
（第１の実施形態）
図１は、本発明の第１の実施形態に係る固体撮像装置の全体構成図である。同図において、固体撮像装置１は、半導体基板９上に複数の単位画素１０（図２及び図４に図示）が２次元状に配置された画素部２と、画素部２から出力されたアナログ信号をデジタル信号に変換するカラムＡＤＣ部５と、カラムＡＤＣ部５で変換されたデジタル信号を一時記憶するメモリ部６と、メモリ部６に格納されたデータを順次水平方向に選択し出力させる水平走査部７と、メモリ部６から読み出された信号をバッファする出力アンプ部８とを備える。また、固体撮像装置１は、周辺回路として、各画素行を選択して駆動する垂直走査部４と、各機能ブロックのタイミング信号を生成するタイミングジェネレータ部（ＴＧ部）３とを備える。
【００２２】
また、垂直走査部４には、外部入力端子を介してデジタル電源電圧ＤＶＤＤ１、デジタルグランド電圧ＤＶＳＳ１、デジタル電源電圧ＤＶＤＤ２、及びデジタルグランド電圧ＤＶＳＳ２が供給される。また、画素部２には、外部入力端子を介してアナログ電源電圧ＡＶＤＤ１と、アナロググランド電圧ＡＶＳＳ１とが供給される。また、その他の周辺回路部には、外部入力端子を介してデジタル電源電圧ＤＶＤＤ３、デジタルグランド電圧ＤＶＳＳ３、アナログ電源電圧ＡＶＤＤ２、及びアナロググランド電圧ＡＶＳＳ２が供給される。また、固体撮像装置１には、外部入力端子を介してＶＳＵＢ電圧が供給される。
【００２３】
なお、デジタル電源ＤＶＤＤ１電圧及びデジタル電源ＤＶＤＤ３電圧は、例えば１．２Ｖであり、デジタル電源電圧ＤＶＤＤ２、アナログ電源電圧ＡＶＤＤ１及びアナログ電源電圧ＡＶＤＤ２は、例えば２．８Ｖである。これにより、デジタルカメラやモバイルフォンでは、バッテリーを長時間維持するための低電圧化が実現される。
【００２４】
図２は、第１の実施形態に係る固体撮像装置の単位画素及び垂直走査部の詳細構成図である。同図において、単位画素１０は、フォトダイオード（受光部）１１と、転送トランジスタ１３と、電荷検出部１４と、増幅トランジスタ１５と、選択トランジスタ１６と、電荷検出部１４の電位をリセットするリセットトランジスタ１２と、垂直信号線１７と、アナログ電源電圧ＡＶＤＤ１が供給される端子と、アナロググランド電圧ＡＶＳＳ１が供給される端子とを備える。
【００２５】
フォトダイオード（受光部）１１は、入射光を光電変換して得られた信号電荷を蓄積する。
【００２６】
選択トランジスタ１６は、電荷検出部１４に蓄積された信号電荷に対応した画素信号を、ゲート電極に印加されたパルス信号に従って、画素列ごとに配置された垂直信号線１７に出力するタイミングを決定する。
【００２７】
転送トランジスタ１３は、フォトダイオード１１に蓄積された信号電荷を、ゲート電極に印加されたパルス信号に従って転送する。
【００２８】
電荷検出部１４は、転送トランジスタ１３により転送された上記信号電荷を一時的に蓄積する。
【００２９】
リセットトランジスタ１２は、電荷検出部１４に蓄積された上記信号電荷を、ゲート電極に印加されたパルス信号に従ってリセットする。
【００３０】
また、垂直走査部４は、リセット制御線１８を介してリセットトランジスタ１２を制御するリセット制御信号と、転送制御線１９を介して転送トランジスタ１３を制御する転送制御信号と、行選択線２０を介して選択トランジスタ１６を制御する走査信号とを生成する。垂直走査部４は、上記リセット制御信号、上記転送制御信号及び上記走査信号を、パルス信号として画素部２に供給することにより画素部２を駆動する。
【００３１】
また、垂直走査部４に供給されるデジタル電源電圧ＤＶＤＤ１と、デジタル電源電圧ＤＶＤＤ２とは、ＤＶＤＤ１＜ＤＶＤＤ２という関係にあり、デジタルグランド電圧ＤＶＳＳ１と、デジタルグランド電圧ＤＶＳＳ２とは、ＤＶＳＳ２≦ＤＶＳＳ１という関係にある。
【００３２】
また、デジタル電源電圧ＤＶＤＤ２と、アナログ電源電圧ＡＶＤＤ１とは、ＤＶＤＤ２≧ＡＶＤＤ１という関係にあり、デジタルグランド電圧ＤＶＳＳ２と、アナロググランド電圧ＡＶＳＳ１とは、ＤＶＳＳ２≦ＡＶＳＳ１という関係にある。
【００３３】
図３は、第１の実施形態に係る固体撮像装置の駆動タイミングチャートである。具体的には、図２に示されたリセット制御線１８、転送制御線１９、及び行選択線２０に関するタイミングチャートである。
【００３４】
画素の読み出し動作は、まず、時刻Ｔ１において、選択トランジスタ１６のゲート電極に印加される走査信号をＤＶＤＤ２（≧ＡＶＤＤ１）にし、画素を選択する。
【００３５】
次に、時刻Ｔ２において、リセットトランジスタ１２のゲート電極に印加されるリセット制御信号を、ＤＶＤＤ２（≧ＡＶＤＤ１）にし、時刻Ｔ３において、ＤＶＳＳ２（≦ＡＶＳＳ１）とする。時刻Ｔ２〜時刻Ｔ３におけるリセット制御線１８の電圧変化により、電荷検出部１４の電圧をＡＶＤＤ１と同一の電圧にリセットする。
【００３６】
次に、時刻Ｔ４において、転送トランジスタ１３のゲート電極に印加される転送制御信号を、ＤＶＤＤ２（≧ＡＶＤＤ１）にし、時刻Ｔ５において、ＤＶＳＳ２（≦ＡＶＳＳ１）とする。時刻Ｔ４〜時刻Ｔ５における転送制御線１９の電圧変化により、フォトダイオード１１の信号を読み出す。
【００３７】
次に、時刻Ｔ６において、読出しが完了した画素行の選択トランジスタ１６のゲート電極に印加される走査信号をＤＶＳＳ１にする。以上の一連の動作で信号の読出し動作を行う。
【００３８】
図４は、第１の実施形態に係る固体撮像装置の垂直走査部と単位画素の詳細構成図である。具体的には、図３で示された垂直走査部４と単位画素１０とのブロック構成図である。なお、単位画素１０の構成は図２で示された構成と同一である。同図に示された垂直走査部４は、画素行を選択する行選択部２１０と、外部から入力された単一電圧レベルの電源電圧のレベルを変換するレベルシフト回路部２１１、２１２及び２１３と、当該レベルシフト回路部でレベル変換された電圧をバッファし、当該バッファされた電圧をパルス信号として画素部２へ伝達するバッファ回路部２１４、２１５及び２１５とを備える。上記レベルシフト回路部２１１、２１２及び２１３は、それぞれ、外部から入力された単一レベルの電源電圧のレベルを降圧する降圧側レベルシフト回路３００ａ、３００ｂ及び３００ｃと、当該降圧側レベルシフト回路とウェル分離され、外部から入力された単一レベルの電源電圧のレベルを昇圧する昇圧側レベルシフト回路３０１ａ、３０１ｂ及び３０１ｃとを備える。
【００３９】
同じ行にある複数の単位画素１０に備わる転送トランジスタ１３には、行選択部２１０から単位画素１０に向かう方向に、降圧側レベルシフト回路３００ａ及び昇圧側レベルシフト回路３０１ａからなり行選択部２１０で生成した転送制御信号の電圧レベルをシフトするレベルシフト回路３０３ａと、レベルシフト回路３０３ａで生成された信号をバッファするバッファ回路３０２ａとが、この順で接続されている。レベルシフト回路３０３ａ及びバッファ回路３０２ａは、それぞれ、行選択部２１０と、転送トランジスタ１３のゲート電極との間に配置された第１のレベルシフト回路及び第１のバッファ回路である。
【００４０】
また、同じ行にある複数の単位画素１０に備わるリセットトランジスタ１２には、行選択部２１０から単位画素１０に向かう方向に、降圧側レベルシフト回路３００ｂ及び昇圧側レベルシフト回路３０１ｂからなり行選択部２１０で生成したリセット制御信号の電圧レベルをシフトするレベルシフト回路３０３ｂと、レベルシフト回路３０３ｂで生成された信号をバッファするバッファ回路３０２ｂとが、この順で接続されている。レベルシフト回路３０３ｂ及びバッファ回路３０２ｂは、それぞれ、行選択部２１０と、リセットトランジスタ１２のゲート電極との間に配置された第２のレベルシフト回路及び第２のバッファ回路である。
【００４１】
また、同じ行にある複数の単位画素１０に備わる選択トランジスタ１６には、行選択部２１０から単位画素１０に向かう方向に、降圧側レベルシフト回路３００ｃ及び昇圧側レベルシフト回路３０１ｃからなり行選択部２１０で生成した走査信号の電圧レベルをシフトするレベルシフト回路３０３ｃと、レベルシフト回路３０３ｃで生成された信号をバッファするバッファ回路３０２ｃとが、この順で接続されている。レベルシフト回路３０３ｃ及びバッファ回路３０２ｃは、それぞれ、行選択部２１０と、選択トランジスタ１６のゲート電極との間に配置された第３のレベルシフト回路及び第３のバッファ回路である。
【００４２】
レベルシフト回路３０３ａ、３０３ｂ及び３０３ｃは、それぞれ、行選択部２１０側に降圧側レベルシフト回路３００ａ、３００ｂ及び３００ｃが配置され、単位画素１０側に昇圧側レベルシフト回路３０１ａ、３０１ｂ、３０１ｃが配置されている。
【００４３】
また、転送トランジスタ１３に接続されるレベルシフト回路３０３ａは、他トランジスタ（リセットトランジスタ１２及び選択トランジスタ１６）に接続されるレベルシフト回路３０３ｂ及び３０３ｃよりも、行選択部２１０に近い位置に配置され、転送トランジスタ１３に接続されるバッファ回路３０２ａは、他トランジスタ（リセットトランジスタ１２及び選択トランジスタ１６）に接続されるバッファ回路３０２ｂ及び３０２ｃよりも、行選択部２１０に近い位置に配置される。このように、レベルシフト回路３０３ａおよびバッファ回路３０２ａを、単位画素１０（画素部２）から最も遠い位置とすることにより、ダイナミックレンジを確保しつつ転送トランジスタ１３に電圧を印加している時（画素読出し時）にレベルシフト回路３０３ａで発生したノイズが基板経由で画素に伝播することを防止できる。よって、フォトダイオードからの読出し信号にノイズを重畳させないことで画像劣化を防ぐことが出来る。
【００４４】
さらに、選択トランジスタ１６に接続されるレベルシフト回路３０３ｃは、他トランジスタ（転送トランジスタ１３及びリセットトランジスタ１２）に接続されるレベルシフト回路３０３ａ及び３０３ｂよりも、単位画素１０に近い位置に配置され、選択トランジスタ１６に接続されるバッファ回路３０２ｃは、他トランジスタ（転送トランジスタ１３及びリセットトランジスタ１２）に接続されるバッファ回路３０２ａ及び３０２ｂよりも、単位画素１０に近い位置に配置される。
【００４５】
また、同じ行にある複数の単位画素１０に接続されるレベルシフト回路３０３ａは、異なる行にある複数の単位画素１０に接続されるレベルシフト回路３０３ａとともに、レベルシフト回路部２１１を構成する。また、同じ行にある複数の単位画素１０に接続されるレベルシフト回路３０３ｂは、異なる行にある複数の単位画素１０に接続されるレベルシフト回路３０３ｂとともに、レベルシフト回路部２１２を構成する。また、同じ行にある複数の単位画素１０に接続されるレベルシフト回路３０３ｃは、異なる行にある複数の単位画素１０に接続されるレベルシフト回路３０３ｃとともに、レベルシフト回路部２１３を構成する。
【００４６】
同様に、同じ行にある複数の単位画素１０に接続されるバッファ回路３０２ａは、異なる行にある複数の単位画素１０に接続されるバッファ回路３０２ａとともに、バッファ回路部２１４を構成する。また、同じ行にある複数の単位画素１０に接続されるバッファ回路３０２ｂは、異なる行にある複数の単位画素１０に接続されるバッファ回路３０２ｂとともに、バッファ回路部２１５を構成する。また、同じ行にある複数の単位画素１０に接続されるバッファ回路３０２ｃは、異なる行にある複数の単位画素１０に接続されるバッファ回路３０２ｃとともに、バッファ回路部２１６を構成する。
【００４７】
また、行選択部２１０には、デジタル電源電圧ＤＶＤＤ１と、デジタルグランド電圧ＤＶＳＳ１とが供給される。
【００４８】
レベルシフト回路部２１１及び２１２には、デジタル電源電圧ＤＶＤＤ１と、デジタル電源電圧ＤＶＤＤ２と、デジタルグランド電圧ＤＶＳＳ２とが供給される。
【００４９】
レベルシフト回路部２１３には、デジタル電源電圧ＤＶＤＤ１と、デジタルグランド電圧ＤＶＳＳ１と、デジタル電源電圧ＤＶＤＤ２とが供給される。
【００５０】
バッファ回路部２１４及び２１５には、デジタル電源電圧ＤＶＤＤ２と、デジタルグランド電圧ＤＶＳＳ２とが供給される。
【００５１】
バッファ回路部２１６には、デジタル電源電圧ＤＶＤＤ２と、デジタルグランド電圧ＤＶＳＳ１とが供給される。
【００５２】
すなわち、本実施形態に係る固体撮像装置１は、レベルシフト回路部２１１、２１２及び２１３と、バッファ回路部２１４、２１５及び２１６とを備え、デジタル電源電圧ＤＶＤＤ１及びＤＶＤＤ２と、デジタルグランド電圧ＤＶＳＳ１及びＤＶＳＳ２とを供給することで、転送トランジスタ１３、リセットトランジスタ１２及び選択トランジスタ１６のゲートに印加される電圧レベル（電圧のＨｉｇｈとＬｏｗの差）を大きくすることができ、画素部２の動作マージンを拡大できる。
【００５３】
例えば、レベルシフト回路部２１１及びバッファ回路２１４から転送トランジスタ１３のゲート電極へ供給されるパルス信号の電圧振幅は、レベルシフト回路部２１２及びバッファ回路２１５からリセットトランジスタ１２のゲート電極へ供給されるパルス信号の電圧振幅、および、レベルシフト回路部２１３及びバッファ回路２１６から選択トランジスタ１６のゲート電極へ供給されるパルス信号の電圧振幅より大きく設定される。
【００５４】
また、本実施形態に係る固体撮像装置１では、単位画素１０の横に、バッファ回路部２１４、２１５及び２１６が配置され、レベルシフト回路部２１１、２１２及び２１３が行選択部２１０とバッファ回路部２１４、２１５及び２１６との間に配置される。上記配置により、レベルシフト回路部２１１、２１２及び２１３が行選択部２１０で生成した各制御信号を、デジタル電源電圧ＤＶＤＤ１からＤＶＤＤ２へとレベル変換する際に、貫通電流が流れて半導体基板９が電気的に揺らぐことを防止できるので、画素の動作マージンを拡大しつつ、ランダムノイズによる画像劣化を防止することが可能となる。
【００５５】
次に、垂直走査部４から一行分の回路を抜き出した図５を用いて詳細に説明する。
【００５６】
図５は、第１の実施形態に係る固体撮像装置のレベルシフト回路及びバッファ回路の詳細回路図である。具体的には、図５には、降圧側レベルシフト回路３００ａ、３００ｂ及び３００ｃを含む降圧側レベルシフト回路３００、ならびに、昇圧側レベルシフト回路３０１ａ、３０１ｂ及び３０１ｃを含む昇圧側レベルシフト回路３０１で構成された、レベルシフト回路３０３ａ、３０３ｂ及び３０３ｃを含むレベルシフト回路３０３と、バッファ回路３０２ａ、３０２ｂ及び３０２ｃを含むバッファ回路３０２との詳細な回路図が図示されている。
【００５７】
図５より、行選択部２１０の１行分の回路に相当する行選択回路３０４は、該当する行を発生させる行発生回路３０５と、行発生回路３０５で発生した信号ＳＩＧ１００及びこれを反転させた信号Ｎ＿ＳＩＧ１０１を出力する行選択出力回路３０６とで構成される。
【００５８】
行選択出力回路３０６から出力された信号ＳＩＧ１００とＮ＿ＳＩＧ１０１とは、降圧側レベルシフト回路３００に入力され、降圧側レベルシフト回路３００はＬｏｗ電圧レベルをＤＶＳＳ１（＝０Ｖ）からＤＶＳＳ２（＜０Ｖ）へとシフトする。次に、昇圧側レベルシフト回路３０１は、Ｈｉｇｈ電圧レベルをＤＶＤＤ１（＜ＤＶＤＤ２）からＤＶＤＤ２へシフトする。上記のように電圧シフトされた信号は、バッファ回路３０２を経て信号２３として単位画素１０（画素部２）へ供給される。
【００５９】
行選択回路３０４から単位画素１０の方向に、降圧側レベルシフト回路３００及び昇圧側レベルシフト回路３０１からなるレベルシフト回路３０３と、バッファ回路３０２とがこの順で配置される。これにより、行選択回路３０４から降圧側レベルシフト回路３００の電圧ステップを小さくでき、降圧側レベルシフト回路３００から昇圧側レベルシフト回路３０１の電圧ステップも小さく出来る。よって、各レベルシフト回路のＭＯＳサイズを小さくでき、回路の動作マージンを拡大でき、消費電流を抑制でき、レベルシフト回路部２１１、２１２及び２１３の回路面積を小さくすることができる。
【００６０】
図６は、第１の実施形態に係る固体撮像装置の構造断面図である。同図より、半導体基板９上に形成された画素部２には、全体的にセンサ用のＰウェル４０が形成されており、アナロググランド電圧ＡＶＳＳ１が印加されている。このＰウェル４０の周囲には、Ｎウェル４５が形成され、その外側にはＰウェル３９が形成され、Ｐウェル３９の周囲にはＮウェル４４が形成されている。以下、順に、Ｐウェル３８、Ｎウェル４３、Ｐウェル３７、Ｎウェル４２、Ｐウェル３６が形成されている。
【００６１】
また、各Ｐウェル３６、３７、３８及び３９には、図５に示された各回路が形成されている。具体的には、Ｐウェル３７には、降圧側レベルシフト回路３００が形成され、Ｐウェル３８には、昇圧側レベルシフト回路３０１が形成され、Ｐウェル３９には、バッファ回路３０２が形成されている。
【００６２】
なお、Ｐウェル３７、３８及び３９には、デジタルグランド電圧ＤＶＳＳ２が印加され、Ｎウェル４２、４３、４４及び４５には、ＶＳＵＢ電圧が印加され、行選択部２１０のＰウェル３６には、デジタルグランド電圧ＤＶＳＳ１が印加されている。デジタルグランド電圧ＤＶＳＳ２は、ＤＶＳＳ２≦０の関係となっており負電位になる場合もある。
【００６３】
上記構造によれば、降圧側レベルシフト回路３００及び昇圧側レベルシフト回路３０１のウェルを分離し、画素部２のＰウェル領域とレベルシフト回路３０３のＰウェル領域とをＮウェルにより分離する。これにより、固体撮像装置で求められる駆動電圧差が大きな場合においても、降圧側レベルシフト回路３００と昇圧側レベルシフト回路３０１とが設けられることで、双方のレベルシフト回路で発生した貫通電流に起因するノイズパワーが減り、半導体基板９経由で画素部２に伝播するノイズが抑制される。また、電圧差が大きいことによる信頼性劣化も抑制出来る。
【００６４】
なお、本実施形態においては、図５に示された回路の形成領域として、Ｐウェル３６、３７、３８及び３９が形成されているが、画素部２に負電圧を印加するためのウェル構造であればよい。
【００６５】
以上、図面を用いて説明した本発明の第１の実施形態に係る固体撮像装置１によれば、複数の電源電圧を半導体基板９の外部から供給する、及び、半導体基板９内に昇圧側レベルシフト回路３０１や降圧側レベルシフト回路３００を設けることにより、周辺回路部の電圧を低電圧化して消費電力を抑制することが可能となる。一方で、画素部２には高い電圧を印加し、電荷検出部１４のレベルを高い電圧でリセットをし、ダイナミックレンジを確保しつつ、ランダムノイズを低減することが可能となる。
【００６６】
以下、さらに、第１の実施形態に係る固体撮像装置１の効果の詳細を説明する。
【００６７】
まず、一般的な固体撮像装置のレベルシフト回路は、バッファ機能も有している。これに対し、本実施形態に係る固体撮像装置１は、バッファ回路３０２とレベルシフト回路３０３とを別回路とすることにより、レベルシフト回路３０３の回路サイズを小さくでき、レベルシフト回路３０３の貫通電流を抑制でき、ＩＲドロップ低減により動作マージン拡大によるレベルシフト回路３０３の動作電圧を拡大でき、消費電流を抑制することが出来る。
【００６８】
さらに、バッファ回路３０２とレベルシフト回路３０３とは、同一電源及び同一グランドを用いているが、電源およびグランドの幹線を分けることで一箇所に電流が集中することを防ぎ、ランダムノイズ、ランダム横線ノイズの画像劣化を防ぐことができる。
【００６９】
さらに、バッファ回路３０２とレベルシフト回路３０３とを別回路とし、さらに、単位画素１０とレベルシフト回路３０３との間にバッファ回路３０２が配置されることにより、貫通電流が発生するレベルシフト回路３０３を画素から離しつつ、固体撮像装置１を直接駆動するためのバッファ回路３０２を単位画素１０（画素部２）の近くに配置することができる。また、各レベルシフト回路３０３をまとめて単位画素１０（画素部２）から離しつつ、固体撮像装置１を直接駆動するためのバッファ回路３０２を、単位画素１０（画素部２）の近くに配置できる。
【００７０】
さらに、転送トランジスタ１３に接続するレベルシフト回路３０３を他トランジスタ（リセットトランジスタ１２、選択トランジスタ１６）に接続するレベルシフト回路３０３よりも行選択部２１０に近く配置する、すなわち、単位画素１０（画素部２）から最も遠い位置とすることにより、ダイナミックレンジを確保しつつ、転送トランジスタ１３に電圧を印加している時（画素を読出している時）に転送トランジスタ１３に接続するレベルシフト回路３０３で発生したノイズが基板経由で画素に伝播することを防ぎ、フォトダイオード１１からの読出し信号にノイズを重畳させないことで画像劣化を防ぐことが出来る。
【００７１】
さらに、降圧側レベルシフト回路３００と昇圧側レベルシフト回路３０１のウェルを分離し、画素部２のＰウェル領域とレベルシフト回路３０３のＰウェル領域がＮウェルにより分離することにより、固体撮像装置で求められる駆動電圧差が大きな場合においても、降圧側レベルシフト回路３００と昇圧側レベルシフト回路３０１を用いることで、双方のレベルシフト回路で発生した貫通電流に起因するノイズパワーが減り、半導体基板９経由で画素部２に伝播するノイズが抑制される、また、電圧差が大きいことによる信頼性劣化も抑制出来る。
【００７２】
さらに、行選択部２１０から単位画素１０の方向で、降圧側レベルシフト回路３００と昇圧側レベルシフト回路３０１からなるレベルシフト回路３０３と、バッファ回路３０２を順次配置することにより、行選択回路３０４から降圧側レベルシフト回路３００の電圧ステップが小さくでき、降圧側レベルシフト回路３００から昇圧側レベルシフト回路３０１の電圧ステップも小さく出来るため、各レベルシフト回路のＭＯＳサイズを小さくでき、回路の動作マージンを拡大でき、消費電流を抑制でき、レベルシフト回路部２１１、２１２、２１３の回路面積を小さくすることができる。
【００７３】
（第２の実施形態）
以下、図面を参照しながら、本発明の第２の実施形態に係る固体撮像装置の構成及び動作について、第１の実施形態との相違点を中心に説明する。
【００７４】
図７は、本発明の第２の実施形態に係る固体撮像装置の単位画素及び垂直走査部の詳細構成図である。同図において、単位画素５０は、フォトダイオード（受光部）５１と、転送トランジスタ５３と、電荷検出部５４と、増幅トランジスタ５５と、電荷検出部５４の電位をリセットするリセットトランジスタ５２と、垂直信号線５７と、アナログ電源電圧ＡＶＤＤ１が供給される端子と、アナロググランド電圧ＡＶＳＳ１が供給される端子とを備える。
【００７５】
垂直走査部６０は、リセット制御線５８を介してリセットトランジスタ５２を制御するリセット制御信号と、転送制御線５９を介して転送トランジスタ５３を制御する転送制御信号とを生成する。
【００７６】
また、垂直走査部６０に供給されるデジタル電源電圧ＤＶＤＤ１と、デジタル電源電圧ＤＶＤＤ２とは、ＤＶＤＤ１＜ＤＶＤＤ２という関係にあり、デジタルグランド電圧ＤＶＳＳ１と、デジタルグランド電圧ＤＶＳＳ２とは、ＤＶＳＳ２≦ＤＶＳＳ１という関係にある。
【００７７】
また、デジタル電源電圧ＤＶＤＤ２と、アナログ電源電圧ＡＶＤＤ１とは、ＤＶＤＤ２≧ＡＶＤＤ１という関係にあり、デジタルグランド電圧ＤＶＳＳ２と、アナロググランド電圧ＡＶＳＳ１とは、ＤＶＳＳ２≦ＡＶＳＳ１という関係にある。
【００７８】
また、単位画素５０のリセット制御信号及び転送制御信号を生成する垂直走査部６０は、画素行を垂直方向に選択する行選択部６１０と、行選択部６１０で生成した選択信号の電圧レベルをシフトするレベルシフト回路部６１１及び６１２と、レベルシフト回路部で生成された信号をバッファするバッファ回路部６１３及び６１４とで構成されている。
【００７９】
図８は、第２の実施形態に係る固体撮像装置の駆動タイミングチャートである。具体的には、図７に示されたリセット制御線５８と及び転送制御線５９に関するタイミングチャートである。
【００８０】
画素の読み出し動作は、まず、時刻Ｔ１おいて、リセットトランジスタ１２のゲート電極に印加されるリセット制御信号をＤＶＤＤ２（≧ＡＶＤＤ１）にし、時刻Ｔ２において、ＤＶＳＳ２（≦ＡＶＳＳ１）とする。時刻Ｔ１〜時刻Ｔ２におけるリセット制御線５８の電圧変化により、電荷検出部５４の電圧をＡＶＤＤ１と同一の電圧にリセットする。
【００８１】
次に、時刻Ｔ３において、転送トランジスタ５３のゲート電極に印加される転送制御信号を、ＤＶＤＤ２（≧ＡＶＤＤ１）にし、時刻Ｔ４において、ＤＶＳＳ２（≦ＡＶＳＳ１）とする。時刻Ｔ３〜時刻Ｔ４における転送制御線５９の電圧変化により、フォトダイオード５１の信号を読み出す。以上の一連の動作を行うことで読出し動作は完了する。
【００８２】
以上、図面を用いて説明したように、本実施形態に係る固体撮像装置は、第１の実施形態に係る固体撮像装置１と比較して、単位画素５０に選択トランジスタ１６が配置されていない。この選択トランジスタ１６が配置されていない単位画素５０の横に、バッファ回路部６１３及び６１４が配置される。また、レベルシフト回路部６１１及び６１２が、行選択部６１０と、バッファ回路部６１３及び６１４との間に配置される。上記配置により、第１の実施形態と同じ効果が奏される。
【００８３】
（第３の実施形態）
上記した第１及び第２の実施形態に係る固体撮像装置は、図９Ａに示すビデオカメラや図９Ｂに示すデジタルスチルカメラ、さらには携帯電話等のモバイル機器向けカメラモジュール等の撮像装置において、その撮像デバイス（画像入力装置）として用いて好適なものである。
【００８４】
図１０は、撮像装置の構成の一例を示すブロック図である。図１０に示されるように、本実施形態に係る撮像装置は、レンズ６１を含む光学系、撮像デバイス６２、カメラ信号処理回路６３およびシステムコントローラ６４等によって構成されている。レンズ６１は、被写体からの像光を撮像デバイス６２の撮像面に結像する。撮像デバイス６２は、レンズ６１によって撮像面に結像された像光を画素単位で電気信号に変換して得られる画像信号を出力する。この撮像デバイス６２として、上述の第１または第２の実施形態に係る固体撮像装置が用いられる。
【００８５】
カメラ信号処理回路６３は、撮像デバイス６２から出力される画像信号に対して種々の信号処理を行う。システムコントローラ６４は、撮像デバイス６２やカメラ信号処理回路６３に対する制御を行う。
【００８６】
このように、本実施形態に係る撮像装置は、画素の動作マージンを拡大しつつランダムノイズよる画像劣化が防止された撮像デバイス６２を備える。
【００８７】
以上、本発明の固体撮像装置及び撮像装置について、実施形態に基づいて説明してきたが、本発明に係る固体撮像装置及び撮像装置は、上記実施形態に限定されるものではない。上記実施形態における任意の構成要素を組み合わせて実現される別の実施形態や、上記実施形態に対して本発明の主旨を逸脱しない範囲で当業者が思いつく各種変形を施して得られる変形例や、本発明に係る固体撮像装置または撮像装置を内蔵した各種機器も本発明に含まれる。
【産業上の利用可能性】
【００８８】
本発明は、固体撮像装置に有用であり、特に、高速及び高画質が求められるデジタルスチルカメラ及びデジタルビデオカメラ等として有用である。
【符号の説明】
【００８９】
１    固体撮像装置
２    画素部
３    タイミングジェネレータ部（ＴＧ部）
４、６０    垂直走査部
５    カラムＡＤＣ部
６    メモリ部
７    水平走査部
８    出力アンプ部
９    半導体基板
１０、５０    単位画素
１１、５１    フォトダイオード（受光部）
１２、５２    リセットトランジスタ
１３、５３    転送トランジスタ
１４、５４    電荷検出部
１５、５５    増幅トランジスタ
１６    選択トランジスタ
１７、５７    垂直信号線
１８、５８    リセット制御線
１９、５９    転送制御線
２０    行選択線
３６、３７、３８、３９、４０    Ｐウェル
４２、４３、４４、４５    Ｎウェル
６１    レンズ
６２    撮像デバイス
６３    カメラ信号処理回路
６４    システムコントローラ
１００    ＳＩＧ
１０１    Ｎ＿ＳＩＧ
２１０、６１０    行選択部
２１１、２１２、２１３、６１１、６１２    レベルシフト回路部
２１４、２１５、２１６、６１３、６１４    バッファ回路部
３００、３００ａ、３００ｂ、３００ｃ    降圧側レベルシフト回路
３０１、３０１ａ、３０１ｂ、３０１ｃ    昇圧側レベルシフト回路
３０２、３０２ａ、３０２ｂ、３０２ｃ    バッファ回路
３０３、３０３ａ、３０３ｂ、３０３ｃ    レベルシフト回路
３０４    行選択回路
３０５    行発生回路
３０６    行選択出力回路
【図１】
0006052511.tif 000002
【図２】
0006052511.tif 000003
【図３】
0006052511.tif 000004
【図４】
0006052511.tif 000005
【図５】
0006052511.tif 000006
【図６】
0006052511.tif 000007
【図７】
0006052511.tif 000008
【図８】
0006052511.tif 000009
【図９Ａ】
0006052511.tif 000010
【図９Ｂ】
0006052511.tif 000011
【図１０】
0006052511.tif 000012
【図１１】
0006052511.tif 000013